(57)【特許請求の範囲】
【請求項１】
ハンドルを含み、前記ハンドルの上端には固定ブロックが固定的に連結され、前記固定ブロックの左端には連結管が固定的に連結され、前記連結管の中には定例液体保存空間が設置され、前記定例液体保存空間の中には定例量の麻酔薬があり、
前記連結管の左端にはパイプが固定的に連結され、前記パイプの中には液体通路が前記パイプを貫通するように設置され、前記液体通路が前記定例液体保存空間と連通され、前記パイプの左端には連結ヘッドが固定的に連結され、前記連結ヘッドの左端には注射針が固定的に連結され、前記連結ヘッドの中には貫穴が前記連結ヘッドを左右に貫通するように設置され、前記貫穴が前記液体通路と前記注射針とを連通し、
前記定例液体保存空間の中には大ピストン板がスライドできるように設置され、前記大ピストン板の右端にはスライドロッドが固定的に連結され、前記スライドロッドの右端には押しブロックが固定的に連結され、
前記スライドロッドの中には注射装置が設置され、前記ハンドルの中には駆動装置が設置され、前記駆動装置が前記注射装置の中の連結ロッドとねじ山により連結され、前記連結ロッドの左端には小ピストン板が固定的に連結され、
前記連結ヘッドの中には監視装置が設置され、前記監視装置が前記貫穴を通過した麻酔薬の量を監視し、
前記ハンドルの中には右方に開口した位置制限溝が形成され、前記位置制限溝の中には復帰軸が固定的に連結され、前記復帰軸の前後両端が前記位置制限溝の前後両側の内壁に回転できるように連結され、前記位置制限溝の左端が前記駆動装置の中の復帰スライドロッドに当接しており、前記ハンドルの左端面の中には滑り止めパッドが固定的に設置されており、
前記駆動装置は前記位置制限溝の上側内壁の中に前記位置制限溝と連通するように形成されたばね溝を含み、前記復帰スライドロッドが前記ばね溝の中にスライドできるように設置され、前記復帰スライドロッドの上端と前記ばね溝の上側内壁との間には伸縮ばねが固定的に連結され、
前記位置制限溝の上側内壁の中には伝動空間が設置され、前記伝動空間の中にはラチェットホイールが回転できるように設置され、前記ラチェットホイールが前記復帰スライドロッドにねじ山により連結され、前記ラチェットホイールの左端には一方向輪が噛み合っており、前記一方向輪の中には伝動軸が固定的に連結され、
前記伝動空間の上側内壁の中には歯車空間が設置され、前記伝動軸の上端が前記歯車空間の中に延びており、且つ前記伝動軸の上端には小歯車が固定的に連結され、前記歯車空間の中には大歯車が回転できるように設置され、前記大歯車の中には下方に開口した噛合溝が形成され、前記小歯車の上端が前記噛合溝の中に延びており、且つ前記大歯車と噛み合っており、
前記大歯車の上端には連結軸が固定的に連結され、前記連結軸の上端には主動歯車が固定的に連結され、前記主動歯車の右端には従動歯車が噛み合っており、前記従動歯車の右端には主動プーリーが固定的に連結され、前記固定ブロックの中には凹溝が形成され、前記凹溝の中には従動プーリーが回転できるように設置され、前記主動プーリーと前記従動プーリーとの間には連結ベルトが連結され、
前記従動プーリーの左端には連結歯車が固定的に連結され、前記凹溝の上側内壁の中には右方に開口した収納溝が前記凹溝と連通するように形成され、前記押しブロックが前記収納溝の中でスライドでき、前記押しブロックの中には下方に開口した歯車溝が形成され、前記歯車溝の中にはスライド歯車が回転できるように設置され、前記スライド歯車の下端が前記連結歯車と噛み合うことができ、
前記スライド歯車の中にはねじロッドが固定的に連結され、前記ねじロッドの左端が前記連結ロッドにねじ山により連結されており、
前記注射装置は前記スライドロッドと前記大ピストン板の中に前記スライドロッドと前記大ピストン板を左右に貫通するように設置された予備液体保存空間を含み、前記小ピストン板が前記予備液体保存空間の中にスライドできるように設置され、前記予備液体保存空間は予備麻酔薬を保存し、
前記連結ロッドの中には右方に開口したねじ山孔が設置され、前記ねじロッドの左端が前記ねじ山孔の中に延びており、且つ前記連結ロッドとねじ山により連結され、
前記予備液体保存空間の中には一方向弁が固定的に設置されており、
前記押しブロックが左極限位置に位置するとき、この時前記定例液体保存空間の中の定例麻酔薬がすでに注射完了され、この時前記スライド歯車が前記連結歯車と噛み合い、このとき前記押し板を押し、前記押し板が前記復帰軸を中心として回転すると同時に、前記復帰スライドロッドを押して上方へスライドさせて前記伸縮ばねを圧縮し、前記復帰スライドロッドが前記ラチェットホイールを正方向に回転させ、これにより前記一方向輪を回転させ、これにより前記伝動軸により前記小歯車を回転させ、これにより前記大歯車を回転させ、これにより前記連結軸により前記主動歯車を回転させ、これにより前記従動歯車を回転させ、これにより前記主動プーリーを回転させ、これにより前記連結ベルトにより前記従動プーリーを回転させ、これにより前記連結歯車を回転させ、これにより前記スライド歯車を回転させ、これにより前記ねじロッドにより前記連結ロッドと前記小ピストン板を左方へスライドさせ、前記小ピストン板が左方へスライドするときしか前記予備液体保存空間の中の麻酔薬が前記一方向弁を通過できなく、これにより患者の体に予備麻酔薬を注射することを特徴とする手術用の麻酔薬注射装置。
【請求項２】
押し板の前後両端と前記位置制限溝の前後両側の内壁との間には復帰ねじりばねが固定的に連結されていることを特徴とする請求項１に記載の手術用の麻酔薬注射装置。
【請求項３】
前記小歯車と前記大歯車とが減速伝動であることを特徴とする請求項１に記載の手術用の麻酔薬注射装置。
【請求項４】
前記監視装置は前記貫穴の中に固定的に設置された制御弁を含み、前記連結ヘッドの上端にはディスプレイが固定的に連結されていることを特徴とする請求項１に記載の手術用の麻酔薬注射装置。
【請求項５】
前記連結ヘッドの中には背中合わせに開口した回収溝が前後対称に形成され、前記回収溝の中には巻き輪が回転できるように設置され、前記巻き輪の円周面には連結ベルトが巻き付けられ、前記連結ベルトの下端には貼り付けベルトが固定的に連結されていることを特徴とする請求項１に記載の手術用の麻酔薬注射装置。
【発明の詳細な説明】
【技術分野】
【０００１】
本願発明は専用手術器械分野に関し、具体的には手術用の麻酔薬注射装置に関する。
【背景技術】
【０００２】
手術機械とは、臨床手術において使用された医療器械であり、定例の手術器械以外には、専門の機械がある。手術中に麻酔薬を注射することが多く、手術過程が複雑で、手術に時間がかかることが時々あり、こういう状況では麻酔時間を増やす必要があり、改めて麻酔薬を注射すると、麻酔薬の量をよく制御できなく、患者の体に被害を与える可能性もある。本願発明の手術用の麻酔薬注射装置は上記問題を解決できる。
【先行技術文献】
【特許文献】
【０００３】
【特許文献１】中国特許出願公開第１０５２６３５４６号明細書
【発明の概要】
【発明が解決しようとする課題】
【０００４】
技術問題：
手術時間が長いため、麻酔時間を増やす必要があり、改めて麻酔薬を注射すると、麻酔薬の量をよく制御できない。
【課題を解決するための手段】
【０００５】
手術用の麻酔薬注射装置は、ハンドルを含み、前記ハンドルの上端には固定ブロックが固定的に連結され、前記固定ブロックの左端には連結管が固定的に連結され、前記連結管の中には定例液体保存空間が設置され、前記定例液体保存空間の中には定例量の麻酔薬があり、前記連結管の左端にはパイプが固定的に連結され、前記パイプの中には液体通路が前記パイプを貫通するように設置され、前記液体通路が前記定例液体保存空間と連通され、前記パイプの左端には連結ヘッドが固定的に連結され、前記連結ヘッドの左端には注射針が固定的に連結され、前記連結ヘッドの中には貫穴が前記連結ヘッドを左右に貫通するように設置され、前記貫穴が前記液体通路と前記注射針とを連通し、前記定例液体保存空間の中には大ピストン板がスライドできるように設置され、前記大ピストン板の右端にはスライドロッドが固定的に連結され、前記スライドロッドの右端には押しブロックが固定的に連結され、左方へ前記押しブロックを押し、これにより前記スライドロッドを通じて前記大ピストン板を左方へスライドさせ、これにより前記定例液体保存空間の中の麻酔薬が前記液体通路と、前記貫穴及び前記注射針を通じて患者の体に注射され、前記スライドロッドの中には注射装置が設置され、前記ハンドルの中には駆動装置が設置され、前記駆動装置が前記注射装置の中の連結ロッドとねじ山により連結され、前記連結ロッドの左端には小ピストン板が固定的に連結され、前記駆動装置により前記連結ロッドを左方へスライドさせ、これにより前記小ピストン板を左方へスライドさせ、前記スライドロッドの中の予備麻酔薬を患者の体に注射し、前記連結ヘッドの中には監視装置が設置され、前記監視装置が前記貫穴を通過した麻酔薬の量を監視し、前記ハンドルの中には右方に開口した位置制限溝が形成され、前記位置制限溝の中には復帰軸が固定的に連結され、前記復帰軸の前後両端が前記位置制限溝の前後両側の内壁に回転できるように連結され、前記位置制限溝の左端が前記駆動装置の中の復帰スライドロッドに当接しており、前記押し板を下方に押し、これにより前記復帰スライドロッドを押して上方へスライドさせて前記駆動装置を駆動し、前記ハンドルの左端面の中には滑り止めパッドが固定的に設置され、手で前記ハンドルを握るとき、前記滑り止めパッドは手が滑ることを防止できる。
【０００６】
前記押し板の前後両端と前記位置制限溝の前後両側の内壁との間には復帰ねじりばねが固定的に連結され、前記押し板を放すとき、前記復帰ねじりばねの弾力作用により前記押し板を前記復帰スライドロッドと離脱させ、これにより前記駆動装置を駆動することを停止する。
【０００７】
前記駆動装置は前記位置制限溝の上側内壁の中に前記位置制限溝と連通するように形成されたばね溝を含み、前記復帰スライドロッドが前記ばね溝の中にスライドできるように設置され、前記復帰スライドロッドの上端と前記ばね溝の上側内壁との間には伸縮ばねが固定的に連結され、前記位置制限溝の上側内壁の中には伝動空間が設置され、前記伝動空間の中にはラチェットホイールが回転できるように設置され、前記ラチェットホイールが前記復帰スライドロッドにねじ山により連結され、前記ラチェットホイールの左端には一方向輪が噛み合っており、前記復帰スライドロッドが上方へスライドするとき前記ラチェットホイールを正方向に回転させ、これにより前記一方向輪を回転させ、前記復帰スライドロッドが下方へスライドするとき前記ラチェットホイールを逆方向に回転させ、この時前記一方向輪を回転させることができなく、前記一方向輪の中には伝動軸が固定的に連結され、前記伝動空間の上側内壁の中には歯車空間が設置され、前記伝動軸の上端が前記歯車空間の中に延びており、且つ前記伝動軸の上端には小歯車が固定的に連結され、前記歯車空間の中には大歯車が回転できるように設置され、前記大歯車の中には下方に開口した噛合溝が形成され、前記小歯車の上端が前記噛合溝の中に延びており、且つ前記大歯車と噛み合っており、前記大歯車の上端には連結軸が固定的に連結され、前記連結軸の上端には主動歯車が固定的に連結され、前記主動歯車の右端には従動歯車が噛み合っており、前記従動歯車の右端には主動プーリーが固定的に連結され、前記固定ブロックの中には凹溝が形成され、前記凹溝の中には従動プーリーが回転できるように設置され、前記主動プーリーと前記従動プーリーとの間には連結ベルトが連結され、前記従動プーリーの左端には連結歯車が固定的に連結され、前記凹溝の上側内壁の中には右方に開口した収納溝が前記凹溝と連通するように形成され、前記押しブロックが前記収納溝の中でスライドでき、前記押しブロックの中には下方に開口した歯車溝が形成され、前記歯車溝の中にはスライド歯車が回転できるように設置され、前記スライド歯車の下端が前記連結歯車と噛み合うことができ、前記スライド歯車の中にはねじロッドが固定的に連結され、前記ねじロッドの左端が前記連結ロッドにねじ山により連結され、前記押しブロックが左極限位置に位置するとき、この時前記定例液体保存空間の中の定例麻酔薬がすでに注射完了され、この時前記スライド歯車が前記連結歯車と噛み合い、このとき前記押し板を押し、前記押し板が前記復帰軸を中心として回転すると同時に、前記復帰スライドロッドを押して上方へスライドさせて前記伸縮ばねを圧縮し、前記復帰スライドロッドが前記ラチェットホイールを正方向に回転させ、これにより前記一方向輪を回転させ、これにより前記伝動軸により前記小歯車を回転させ、これにより前記大歯車を回転させ、これにより前記連結軸により前記主動歯車を回転させ、これにより前記従動歯車を回転させ、これにより前記主動プーリーを回転させ、これにより前記連結ベルトにより前記従動プーリーを回転させ、これにより前記連結歯車を回転させ、これにより前記スライド歯車を回転させ、これにより前記ねじロッドにより前記連結ロッドと前記小ピストン板を左方へスライドさせ、これにより患者の体に予備麻酔薬を注射する。
【０００８】
前記小歯車と前記大歯車とが減速伝動であり、これにより前記押し板を押す速度が速すぎるとき、予備麻酔薬を注射する速度が速すぎることを防止できる。
【０００９】
前記注射装置は前記スライドロッドと前記大ピストン板の中に前記スライドロッドと前記大ピストン板を左右に貫通するように設置された予備液体保存空間を含み、前記小ピストン板が前記予備液体保存空間の中にスライドできるように設置され、前記予備液体保存空間は予備麻酔薬を保存し、前記連結ロッドの中には右方に開口したねじ山孔が設置され、前記ねじロッドの左端が前記ねじ山孔の中に延びており、且つ前記連結ロッドとねじ山により連結され、前記予備液体保存空間の中には一方向弁が固定的に設置され、前記一方向弁は前記定例液体保存空間の中の麻酔薬が予備液体保存空間の中に流れることを防止でき、また、前記小ピストン板が左方へスライドするときしか前記予備液体保存空間の中の麻酔薬が前記一方向弁を通過できない。
【００１０】
前記監視装置は前記貫穴の中に固定的に設置された制御弁を含み、前記連結ヘッドの上端にはディスプレイが固定的に連結され、前記制御弁は前記貫穴を通過した麻酔薬の総量を監視し、また、前記ディスプレイによりデータを表示し、前記制御弁は前記注射針の中の麻酔薬または患者の血液が前記液体通路の中に流れることを避けることができる。
【００１１】
前記連結ヘッドの中には背中合わせに開口した回収溝が前後対称に形成され、前記回収溝の中には巻き輪が回転できるように設置され、前記巻き輪の円周面には連結ベルトが巻き付けられ、前記連結ベルトの下端には貼り付けベルトが固定的に連結され、前記連結ヘッドを引き出し、両側の前記貼り付けベルトを連結し、これにより前記連結ヘッドを患者の体またはアームにつける。
【発明の効果】
【００１２】
本願発明の有益的な効果は：本願発明は手術中に注射針が終始に患者の体と連結され、いつでも患者に予備麻酔薬を注射でき、手術が正常に行われることを保証し、予備麻酔薬の一回の注射量に上限があり、麻酔薬注射の累積量を監視し、量が多すぎて患者の体に被害を与えないようにする。
【図面の簡単な説明】
【００１３】
下記に図１〜６をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明の全体構造概略図
【図２】図２は図１のＡの拡大概略図
【図３】図３は図１のＢの拡大概略図
【図４】図４は図１のＣの拡大概略図
【図５】図５は図１のＤ―Ｄの拡大概略図
【図６】図６は図２のＥ―Ｅ方向の構造概略図
【発明を実施するための形態】
【００１５】
手術用の麻酔薬注射装置は、ハンドル１１を含み、前記ハンドル１１の上端には固定ブロック２５が固定的に連結され、前記固定ブロック２５の左端には連結管３７が固定的に連結され、前記連結管３７の中には定例液体保存空間３６が設置され、前記定例液体保存空間３６の中には定例量の麻酔薬があり、前記連結管３７の左端にはパイプ１６が固定的に連結され、前記パイプ１６の中には液体通路１７が前記パイプ１６を貫通するように設置され、前記液体通路１７が前記定例液体保存空間３６と連通され、前記パイプ１６の左端には連結ヘッド２２が固定的に連結され、前記連結ヘッド２２の左端には注射針１８が固定的に連結され、前記連結ヘッド２２の中には貫穴２３が前記連結ヘッド２２を左右に貫通するように設置され、前記貫穴２３が前記液体通路１７と前記注射針１８とを連通し、前記定例液体保存空間３６の中には大ピストン板３９がスライドできるように設置され、前記大ピストン板３９の右端にはスライドロッド４０が固定的に連結され、前記スライドロッド４０の右端には押しブロック２６が固定的に連結され、左方へ前記押しブロック２６を押し、これにより前記スライドロッド４０を通じて前記大ピストン板３９を左方へスライドさせ、これにより前記定例液体保存空間３６の中の麻酔薬が前記液体通路１７と、前記貫穴２３及び前記注射針１８を通じて患者の体に注射され、前記スライドロッド４０の中には注射装置１０１が設置され、前記ハンドル１１の中には駆動装置１００が設置され、前記駆動装置１００が前記注射装置１０１の中の連結ロッド３０とねじ山により連結され、前記連結ロッド３０の左端には小ピストン板４１が固定的に連結され、前記駆動装置１００により前記連結ロッド３０を左方へスライドさせ、これにより前記小ピストン板４１を左方へスライドさせ、前記スライドロッド４０の中の予備麻酔薬を患者の体に注射し、前記連結ヘッド２２の中には監視装置１０２が設置され、前記監視装置１０２が前記貫穴２３を通過した麻酔薬の量を監視し、前記ハンドル１１の中には右方に開口した位置制限溝１５が形成され、前記位置制限溝１５の中には復帰軸１３が固定的に連結され、前記復帰軸１３の前後両端が前記位置制限溝１５の前後両側の内壁に回転できるように連結され、前記位置制限溝１５の左端が前記駆動装置１００の中の復帰スライドロッド５６に当接しており、前記押し板１４を下方に押し、これにより前記復帰スライドロッド５６を押して上方へスライドさせて前記駆動装置１００を駆動し、前記ハンドル１１の左端面の中には滑り止めパッド１２が固定的に設置され、手で前記ハンドル１１を握るとき、前記滑り止めパッド１２は手が滑ることを防止できる。
【００１６】
有益的には、前記押し板１４の前後両端と前記位置制限溝１５の前後両側の内壁との間には復帰ねじりばね５９が固定的に連結され、前記押し板１４を放すとき、前記復帰ねじりばね５９の弾力作用により前記押し板１４を前記復帰スライドロッド５６と離脱させ、これにより前記駆動装置１００を駆動することを停止する。
【００１７】
前記駆動装置１００は前記位置制限溝１５の上側内壁の中に前記位置制限溝１５と連通するように形成されたばね溝５８を含み、前記復帰スライドロッド５６が前記ばね溝５８の中にスライドできるように設置され、前記復帰スライドロッド５６の上端と前記ばね溝５８の上側内壁との間には伸縮ばね５７が固定的に連結され、前記位置制限溝１５の上側内壁の中には伝動空間５５が設置され、前記伝動空間５５の中にはラチェットホイール５４が回転できるように設置され、前記ラチェットホイール５４が前記復帰スライドロッド５６にねじ山により連結され、前記ラチェットホイール５４の左端には一方向輪５３が噛み合っており、前記復帰スライドロッド５６が上方へスライドするとき前記ラチェットホイール５４を正方向に回転させ、これにより前記一方向輪５３を回転させ、前記復帰スライドロッド５６が下方へスライドするとき前記ラチェットホイール５４を逆方向に回転させ、この時前記一方向輪５３を回転させることができなく、前記一方向輪５３の中には伝動軸５２が固定的に連結され、前記伝動空間５５の上側内壁の中には歯車空間４７が設置され、前記伝動軸５２の上端が前記歯車空間４７の中に延びており、且つ前記伝動軸５２の上端には小歯車５１が固定的に連結され、前記歯車空間４７の中には大歯車４９が回転できるように設置され、前記大歯車４９の中には下方に開口した噛合溝５０が形成され、前記小歯車５１の上端が前記噛合溝５０の中に延びており、且つ前記大歯車４９と噛み合っており、前記大歯車４９の上端には連結軸４６が固定的に連結され、前記連結軸４６の上端には主動歯車４８が固定的に連結され、前記主動歯車４８の右端には従動歯車４５が噛み合っており、前記従動歯車４５の右端には主動プーリー４４が固定的に連結され、前記固定ブロック２５の中には凹溝３１が形成され、前記凹溝３１の中には従動プーリー３２が回転できるように設置され、前記主動プーリー４４と前記従動プーリー３２との間には連結ベルト３３が連結され、前記従動プーリー３２の左端には連結歯車３４が固定的に連結され、前記凹溝３１の上側内壁の中には右方に開口した収納溝４３が前記凹溝３１と連通するように形成され、前記押しブロック２６が前記収納溝４３の中でスライドでき、前記押しブロック２６の中には下方に開口した歯車溝２７が形成され、前記歯車溝２７の中にはスライド歯車２９が回転できるように設置され、前記スライド歯車２９の下端が前記連結歯車３４と噛み合うことができ、前記スライド歯車２９の中にはねじロッド２８が固定的に連結され、前記ねじロッド２８の左端が前記連結ロッド３０にねじ山により連結され、前記押しブロック２６が左極限位置に位置するとき、この時前記定例液体保存空間３６の中の定例麻酔薬がすでに注射完了され、この時前記スライド歯車２９が前記連結歯車３４と噛み合い、このとき前記押し板１４を押し、前記押し板１４が前記復帰軸１３を中心として回転すると同時に、前記復帰スライドロッド５６を押して上方へスライドさせて前記伸縮ばね５７を圧縮し、前記復帰スライドロッド５６が前記ラチェットホイール５４を正方向に回転させ、これにより前記一方向輪５３を回転させ、これにより前記伝動軸５２により前記小歯車５１を回転させ、これにより前記大歯車４９を回転させ、これにより前記連結軸４６により前記主動歯車４８を回転させ、これにより前記従動歯車４５を回転させ、これにより前記主動プーリー４４を回転させ、これにより前記連結ベルト３３により前記従動プーリー３２を回転させ、これにより前記連結歯車３４を回転させ、これにより前記スライド歯車２９を回転させ、これにより前記ねじロッド２８により前記連結ロッド３０と前記小ピストン板４１を左方へスライドさせ、これにより患者の体に予備麻酔薬を注射する。
【００１８】
有益的には、前記小歯車５１と前記大歯車４９とが減速伝動であり、これにより前記押し板１４を押す速度が速すぎるとき、予備麻酔薬を注射する速度が速すぎることを防止できる。
【００１９】
前記注射装置１０１は前記スライドロッド４０と前記大ピストン板３９の中に前記スライドロッド４０と前記大ピストン板３９を左右に貫通するように設置された予備液体保存空間３５を含み、前記小ピストン板４１が前記予備液体保存空間３５の中にスライドできるように設置され、前記予備液体保存空間３５は予備麻酔薬を保存し、前記連結ロッド３０の中には右方に開口したねじ山孔４２が設置され、前記ねじロッド２８の左端が前記ねじ山孔４２の中に延びており、且つ前記連結ロッド３０とねじ山により連結され、前記予備液体保存空間３５の中には一方向弁３８が固定的に設置され、前記一方向弁３８は前記定例液体保存空間３６の中の麻酔薬が予備液体保存空間３５の中に流れることを防止でき、また、前記小ピストン板４１が左方へスライドするときしか前記予備液体保存空間３５の中の麻酔薬が前記一方向弁３８を通過できない。
【００２０】
前記監視装置１０２は前記貫穴２３の中に固定的に設置された制御弁２１を含み、前記連結ヘッド２２の上端にはディスプレイ２４が固定的に連結され、前記制御弁２１は前記貫穴２３を通過した麻酔薬の総量を監視し、また、前記ディスプレイ２４によりデータを表示し、前記制御弁２１は前記注射針１８の中の麻酔薬または患者の血液が前記液体通路１７の中に流れることを避けることができる。
【００２１】
有益的には、前記連結ヘッド２２の中には背中合わせに開口した回収溝６０が前後対称に形成され、前記回収溝６０の中には巻き輪６１が回転できるように設置され、前記巻き輪６１の円周面には連結ベルト１９が巻き付けられ、前記連結ベルト１９の下端には貼り付けベルト２０が固定的に連結され、前記連結ヘッド１９を引き出し、両側の前記貼り付けベルト２０を連結し、これにより前記連結ヘッド２２を患者の体またはアームにつける。
【００２２】
下記に図１〜６に合わせて本願発明の使用流れを詳しく説明する：
【００２３】
初期状態では、連結ベルト１９が回収溝６０の中に収納されており、この時ディスプレイ２４に表示されたデータは零であり、この時押しブロック２６と、スライドロッド４０及び大ピストン板３９が右極限位置にあり、この時スライド歯車２９が連結歯車３４と噛み合っていなく、この時小ピストン板４１が予備液体保存空間３５において右極限位置にあり、この時復帰スライドロッド５６が下極限位置にあり、この時押し板１４が位置制限溝１５の外部に位置している。
【００２４】
使用するとき、連結ヘッド１９を引き出し、両側の貼り付けベルト２０を連結し、これにより連結ヘッド２２を患者の体またはアームにつけ、麻酔薬を注射するとき注射針１８と連結ヘッド２２が落ちることを避け、注射針１８が患者の体と連結された後、左方へ押しブロック２６を押し、これによりスライドロッド４０を通じて大ピストン板３９を左方へスライドさせ、これにより定例液体保存空間３６の中の麻酔薬が液体通路１７と、貫穴２３及び注射針１８を通じて患者の体に注射され、この時スライド歯車２９が連結歯車３４と噛み合っている。
【００２５】
麻酔薬の注射と麻酔の時間を増加するとき、ハンドル１１を握って押し板１４を押し、これにより復帰スライドロッド５６を押して上方へスライドさせて伸縮ばね５７を圧縮すると同時に、復帰スライドロッド５６がラチェットホイール５４を正方向に回転させ、これにより一方向輪５３を回転させ、これにより伝動軸５２により小歯車５１を回転させ、これにより大歯車４９を回転させ、これにより連結軸４６により主動歯車４８を回転させ、これにより従動歯車４５を回転させ、これにより主動プーリー４４を回転させ、これにより連結ベルト３３により従動プーリー３２を回転させ、これにより連結歯車３４を回転させ、これによりスライド歯車２９を回転させ、これによりねじロッド２８により連結ロッド３０と小ピストン板４１を左方へスライドさせ、これにより患者の体に予備麻酔薬を注射する。
【００２６】
押し板１４を放し、復帰ねじりばね５９の弾力作用により押し板１４を反転させ、これにより復帰スライドロッド５６が伸縮ばね５７の弾力作用により下方へスライドして初期状態に戻り、位置制限溝１５が押し板１４の最大回転角度を制限し、これにより小ピストン板４１の毎回の最大滑り距離を制限し、これにより毎回の予備麻酔薬の注射量を制限し、麻酔薬の注射量が多すぎることを避け、制御弁２１が貫穴２３を通過した麻酔薬の総量を監視し、また、ディスプレイ２４によりデータを展示する。
【００２７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】      （修正有）【課題】手術用の麻酔薬注射装置を提供する。【解決手段】手術用の麻酔薬注射装置は、ハンドル１１を含み、前記ハンドルの上端には固定ブロックが固定的に連結され、前記固定ブロックの左端には連結管が固定的に連結され、前記連結管の中には定例液体保存空間が設置され、前記定例液体保存空間の中には定例量の麻酔薬があり、前記連結管の左端にはパイプ１６が固定的に連結され、前記パイプの中には液体通路１７が前記パイプを貫通するように設置され、前記液体通路が前記定例液体保存空間と連通され、前記パイプの左端には連結ヘッドが固定的に連結され、前記連結ヘッドの左端には注射針１８が固定的に連結されている。【選択図】図１【図１】
0006814356.tif 000002
【図２】
0006814356.tif 000003
【図３】
0006814356.tif 000004
【図４】
0006814356.tif 000005
【図５】
0006814356.tif 000006
【図６】
0006814356.tif 000007